(57)【要約】【課題】画素の表示の滲みを低減することができる電気泳動装置を提供する。【解決手段】電気泳動装置は、第１電極と、第１電極と対向する第２電極と、第１電極と第２電極との間に挟持され帯電した電気泳動粒子を含む電気泳動素子と、走査線およびデータ線に接続された画素が備える、第１電極と第２電極との間に電位差を与える画素回路であって、第１の電位を第１電極に供給する第１トランジスターと、第２の電位を第１電極に供給する第２トランジスターと、第３の電位を第１電極に供給する第３トランジスターと、データ線の信号を第１トランジスターに供給する第４トランジスターと、データ線の信号を第２トランジスターに供給する第５トランジスターと、データ線の信号を第３トランジスターに供給する第６トランジスターとを含む画素回路と、を備える。【選択図】図４
2015180918.tif 000002
【特許請求の範囲】
【請求項１】
第１電極と、前記第１電極と対向する第２電極と、
前記第１電極と前記第２電極との間に挟持され帯電した電気泳動粒子を含む電気泳動素子と、
走査線およびデータ線に接続された画素が備える、前記第１電極と前記第２電極との間に電位差を与える画素回路であって、
第１の電位を前記第１電極に供給するか否かを、前記データ線の信号に基づいて制御する第１トランジスターと、
前記第１の電位とは異なる第２の電位を前記第１電極に供給するか否かを、前記データ線の信号に基づいて制御する第２トランジスターと、
前記第１の電位および前記第２の電位とは異なる第３の電位を前記第１電極に供給するか否かを、前記データ線の信号に基づいて制御する第３トランジスターと、
前記データ線の信号を前記第１トランジスターに供給するか否かを、前記走査線の信号に基づいて制御する第４トランジスターと、
前記データ線の信号を前記第２トランジスターに供給するか否かを、前記走査線の信号に基づいて制御する第５トランジスターと、
前記データ線の信号を前記第３トランジスターに供給するか否かを、前記走査線の信号に基づいて制御する第６トランジスターと、
を含む画素回路と、
を備えることを特徴とする電気泳動装置。
【請求項２】
請求項１に記載の電気泳動装置において、
前記第１の電位とは、前記第１電極に印加された場合に、前記電気泳動粒子が前記第１電極と前記第２電極との間で泳動しない電位であり、
前記第２の電位とは、前記第１電極に印加された場合に、前記電気泳動粒子のうち正電位に帯電した電気泳動粒子が前記第１電極側に泳動する電位であり、
前記第３の電位とは、前記第１電極に印加された場合に、前記電気泳動粒子のうち正電位に帯電した電気泳動粒子が前記第２電極側に泳動する電位である
ことを特徴とする電気泳動装置。
【請求項３】
請求項１または請求項２に記載の電気泳動装置において、
前記第１トランジスターに前記データ線の信号が供給されない場合に、前記第１トランジスターのゲート電位を保持する第１コンデンサーと、
前記第２トランジスターに前記データ線の信号が供給されない場合に、前記第２トランジスターのゲート電位を保持する第２コンデンサーと、
前記第３トランジスターに前記データ線の信号が供給されない場合に、前記第３トランジスターのゲート電位を保持する第３コンデンサーと
をさらに備えることを特徴とする電気泳動装置。
【請求項４】
請求項１から請求項３のいずれか一項に記載の電気泳動装置において、
前記データ線は、第１データ線と、第２データ線と、第３データ線とを含み、
前記第１トランジスターは、前記第１の電位を前記第１電極に供給するか否かを、前記第１データ線の信号に基づいて制御し、
前記第２トランジスターは、前記第２の電位を前記第１電極に供給するか否かを、前記第２データ線の信号に基づいて制御し、
前記第３トランジスターは、前記第３の電位を前記第１電極に供給するか否かを、前記第３データ線の信号に基づいて制御する
ことを特徴とする電気泳動装置。
【請求項５】
請求項１から請求項３のいずれか一項に記載の電気泳動装置において、
前記走査線は、第１走査線と、第２走査線と、第３走査線とを含み、
前記第４トランジスターは、前記データ線の信号を前記第１トランジスターに供給するか否かを、前記第１走査線の信号に基づいて制御し、
前記第５トランジスターは、前記データ線の信号を前記第２トランジスターに供給するか否かを、前記第２走査線の信号に基づいて制御し、
前記第６トランジスターは、前記データ線の信号を前記第３トランジスターに供給するか否かを、前記第３走査線の信号に基づいて制御する
ことを特徴とする電気泳動装置。
【請求項６】
請求項１から請求項５のいずれか一項に記載の電気泳動装置を備えた電子機器。
【発明の詳細な説明】
【技術分野】
【０００１】
本発明は、電気泳動装置、及び電子機器に関する。
【背景技術】
【０００２】
溶液中に電気泳動粒子を分散させてなる分散液に電界を印加した際に、クーロン力によって電気泳動粒子が泳動する現象（電気泳動現象）が知られており、当該現象を利用した、例えば、電子ペーパーなどの電気泳動装置が開発されている。
これらの電気泳動装置は、複数の画素毎に設けられた画素電極と、複数の画素電極に対向して共通に設けられた共通電極とを備えており、画素電極と共通電極との電位差により生じた電界によって、電気泳動粒子を泳動させるように駆動される。そして、電気泳動装置は、このような駆動方法によって泳動した電気泳動粒子の状態が表示画像として表示されている。
このような電気泳動装置で画像を表示させるためには、スイッチング素子を介して、メモリー回路に一旦画像信号を記憶させる。メモリー回路で記憶した画像信号は画素電極に直接入力され、画素電極に電位を与えると、対向電極との間で電位差が発生する。これによって電気泳動素子を駆動させて、画像を表示させることができる（例えば特許文献１参照）。
【先行技術文献】
【特許文献】
【０００３】
【特許文献１】特開２００８−１７６３３０号公報
【発明の概要】
【発明が解決しようとする課題】
【０００４】
上記従来技術における電気泳動装置では、ある画素の画素電極に電位が与えられない期間が存在し、この期間においては隣接する画素の画素電極の電位の影響を受けやすくなる。このため、上記従来技術における電気泳動装置では、隣接する画素の画素電極の電位の影響を受けた画素の表示に滲みが生じるという問題があった。
【０００５】
本発明は、前記の点に鑑みてなされたものであり、画素の表示に滲みを低減することができる電気泳動装置、及び電子機器を提供することを目的とする。
【課題を解決するための手段】
【０００６】
本発明は、上記の課題を解決するためになされたものであり、第１電極と、前記第１電極と対向する第２電極と、前記第１電極と前記第２電極との間に挟持され帯電した電気泳動粒子を含む電気泳動素子と、走査線およびデータ線に接続された画素が備える、前記第１電極と前記第２電極との間に電位差を与える画素回路であって、第１の電位を前記第１電極に供給するか否かを、前記データ線の信号に基づいて制御する第１トランジスターと、前記第１の電位とは異なる第２の電位を前記第１電極に供給するか否かを、前記データ線の信号に基づいて制御する第２トランジスターと、前記第１の電位および前記第２の電位とは異なる第３の電位を前記第１電極に供給するか否かを、前記データ線の信号に基づいて制御する第３トランジスターと、前記データ線の信号を前記第１トランジスターに供給するか否かを、前記走査線の信号に基づいて制御する第４トランジスターと、前記データ線の信号を前記第２トランジスターに供給するか否かを、前記走査線の信号に基づいて制御する第５トランジスターと、前記データ線の信号を前記第３トランジスターに供給するか否かを、前記走査線の信号に基づいて制御する第６トランジスターと、を含む画素回路と、を備えることを特徴とする電気泳動装置である。
【０００７】
この構成により、電気泳動装置は、走査線によって画素が選択された状態における画素（電気泳動素子）の電位を、画素が選択されていない状態においても維持することができる。これにより、電気泳動装置は、画素の電位が安定しているため、隣接する画素の電位によって画素の電位が変動する程度を低減することができる。このため、電気泳動装置は、隣接する画素の電位によって画素の電位が変動することにより生ずる画素の表示の滲みを低減することができる。
【０００８】
また、本発明は、上述の電気泳動装置において、前記第１の電位とは、前記第１電極に印加された場合に、前記電気泳動粒子が前記第１電極と前記第２電極との間で泳動しない電位であり、前記第２の電位とは、前記第１電極に印加された場合に、前記電気泳動粒子のうち正電位に帯電した電気泳動粒子が前記第１電極側に泳動する電位であり、前記第３の電位とは、前記第１電極に印加された場合に、前記電気泳動粒子のうち正電位に帯電した電気泳動粒子が前記第２電極側に泳動する電位であることを特徴とする電気泳動装置である。
【０００９】
この構成により、電気泳動装置は、電気泳動素子を両極性書き込みする。これにより、電気泳動装置は、片極性書き込みの場合に比べて泳動時間を低減することができるため、描画時間を低減することができる。
【００１０】
また、本発明は、上述の電気映像装置において、前記第１トランジスターに前記データ線の信号が供給されない場合に、前記第１トランジスターのゲート電位を保持する第１コンデンサーと、前記第２トランジスターに前記データ線の信号が供給されない場合に、前記第２トランジスターのゲート電位を保持する第２コンデンサーと、前記第３トランジスターに前記データ線の信号が供給されない場合に、前記第３トランジスターのゲート電位を保持する第３コンデンサーとをさらに備えることを特徴とする電気泳動装置である。
【００１１】
この構成により、電気泳動装置は、走査線によって画素が選択されていない状態においても、電気泳動素子の電位を維持する。これにより、電気泳動装置は、画素に対する１回の走査によって電気泳動粒子を泳動させ続けることができる。したがって、電気泳動装置は、画素に対する走査回数を低減することができるため、走査によって消費される電力を低減することができる。
【００１２】
また、本発明は、上述の電気映像装置において、前記データ線は、第１データ線と、第２データ線と、第３データ線とを含み、前記第１トランジスターは、前記第１の電位を前記第１電極に供給するか否かを、前記第１データ線の信号に基づいて制御し、前記第２トランジスターは、前記第２の電位を前記第１電極に供給するか否かを、前記第２データ線の信号に基づいて制御し、前記第３トランジスターは、前記第３の電位を前記第１電極に供給するか否かを、前記第３データ線の信号に基づいて制御することを特徴とする電気泳動装置である。
【００１３】
この構成により、電気泳動装置は、１回の走査によって３つの異なる電位を画素にプログラムする。これにより、電気泳動装置は、走査回数を低減することができるため、走査によって消費される電力を低減することができる。また、電気泳動装置は、走査回数を低減することができるため、描画時間を低減することができる。
【００１４】
また、本発明は、上述の電気映像装置において、前記走査線は、第１走査線と、第２走査線と、第３走査線とを含み、前記第４トランジスターは、前記データ線の信号を前記第１トランジスターに供給するか否かを、前記第１走査線の信号に基づいて制御し、前記第５トランジスターは、前記データ線の信号を前記第２トランジスターに供給するか否かを、前記第２走査線の信号に基づいて制御し、前記第６トランジスターは、前記データ線の信号を前記第３トランジスターに供給するか否かを、前記第３走査線の信号に基づいて制御することを特徴とする電気泳動装置である。
【００１５】
この構成により、電気泳動装置は、１回の走査によって３つの異なる電位を画素にプログラムする。これにより、電気泳動装置は、走査回数を低減することができるため、走査によって消費される電力を低減することができる。また、電気泳動装置は、走査回数を低減することができるため、描画時間を低減することができる。
【００１６】
また、本発明は、上述の電気映像装置を備えた電子機器である。
【００１７】
この構成により、電子機器は、画素の表示に滲みを低減することができる。
【００１８】
以上のように、本発明によれば、電気泳動装置、及び電子機器は、それぞれ、画素の表示の滲みを低減することができる。
【図面の簡単な説明】
【００１９】
【図１】本発明の実施形態による電気泳動装置の概略構成を示したブロック図である。
【図２】走査線駆動回路の動作の一例を示すタイミング図である。
【図３】データ線駆動回路の動作の一例を示すタイミング図である。
【図４】本実施形態の電気泳動装置の画素の回路構成の一例を示したブロック図である。
【図５】表示部の構成の一例を示す模式図である。
【図６】電気泳動素子の動作の一例を示す模式図である。
【図７】電気泳動素子の動作の一例を示すタイミング図である。
【図８】画素の回路構成の第１の変形例を示すブロック図である。
【図９】画素の回路構成の第２の変形例を示すブロック図である。
【図１０】画素の回路構成の第３の変形例を示すブロック図である。
【図１１】画素の回路構成の第４の変形例を示すブロック図である。
【図１２】変形例の電気泳動装置の概略構成を示したブロック図である。
【図１３】本変形例の電気泳動装置の画素の回路構成の一例を示したブロック図である。
【図１４】電子機器の一例を示す図である。
【発明を実施するための形態】
【００２０】
本発明の実施形態について図面を参照して詳細に説明する。
＜電気泳動装置＞
以下、本発明の実施形態について、図面を参照して説明する。なお、本実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数などを異ならせている。
【００２１】
図１は、本発明の実施形態による電気泳動装置１の概略構成を示したブロック図である。図１では、本実施形態の一例として、アクティブマトリクス方式の電気泳動装置を示している。図１に示した電気泳動装置１は、複数の画素２がマトリクス状に配列された表示部３と、表示部３の周辺領域に走査線駆動回路６と、データ線駆動回路７と、共通電源変調回路８と、コントローラー９とを備えている。
【００２２】
表示部３は、Ｙ軸方向に沿ってｍ個、Ｘ軸方向に沿ってｎ個の画素２が配列されている。表示部３内の各画素２は、走査線駆動回路６から延びる複数の走査線４と、データ線駆動回路７から延びる複数のデータ線５との交差位置にそれぞれ配置されている。
【００２３】
走査線駆動回路６は、コントローラー９によって指定された画素２を選択するための選択信号を、表示部３のＸ軸方向（行方向）に配置された画素２の行毎に出力する。走査線駆動回路６が選択信号を出力する際には、表示部３のＸ軸方向に沿って配線された複数の走査線（Ｙ１、Ｙ２、・・・、Ｙｍ）に対して、図２に示すようにして、順次、選択信号を出力する。
【００２４】
図２は、走査線駆動回路の動作の一例を示すタイミング図である。
走査線駆動回路６は、シフトレジスター回路で構成されている。走査線駆動回路６は、走査開始信号ＹＳＤをシフトクロック信号ＹＳＣＬの立ち上がりで取り込み、順次シフト動作を行う。走査線駆動回路６は、シフト動作を行った結果を選択信号として走査線（Ｙ１、Ｙ２、・・・、Ｙｍ）を介して画素２に出力する。選択信号は２値の電位からなり、以下では高い方の電位を“Ｈ”、低い方の電位を“Ｌ”として説明する。
なお、本実施形態においては、画素２を選択する場合には、走査線４の電位を“Ｈ”とし、画素２を選択しない場合には、走査線４の電位を“Ｌ”とするものとする。
また、この例においては、走査線駆動回路６は、走査開始信号ＹＳＤをシフトクロック信号ＹＳＣＬの立ち上がりエッジで取り込むとして説明したが、これに限られない。走査線駆動回路６は、走査開始信号ＹＳＤをシフトクロック信号ＹＳＣＬの立ち下がりエッジで取り込んでもよく、シフトクロック信号ＹＳＣＬの立ち下がりや両エッジでシフト動作を行ってもよい。
【００２５】
データ線駆動回路７は、コントローラー９から入力された画像データを、表示部３のＹ軸方向（列方向）に配置された画素２の列毎に、表示部３のＹ軸方向に沿って配線された複数のデータ線（Ｘ１、Ｘ２、・・・、Ｘｎ）に対して、図３に示すようにして、それぞれ出力する。
【００２６】
図３は、データ線駆動回路７の動作の一例を示すタイミング図である。
データ線駆動回路７に入出力される信号は全て２値の電位からなり、以下では高い方の電位を“Ｈ”、低い方の電位を“Ｌ”として説明する。データ線駆動回路７は、シフトレジスター回路で構成されている。データ線駆動回路７は、走査開始信号ＸＳＤをシフトクロック信号ＸＳＣＬの立ち上がりで取り込み、順次シフト動作を行う。データ線駆動回路７は、シフト動作を行い、シフトレジスター回路内で“Ｈ”を出力するレジスタを１つずつシフトすることによって、対応する（“Ｈ”を出力する）データ線（Ｘ１、Ｘ２、・・・、Ｘｎ）を順次選択する。選択されたデータ線５は、これに同期してコントローラー９から送られる画像データ電位を画素２に出力する。一方、“Ｌ”出力するレジスタに対応した非選択のデータ線はハイインピーダンス状態（Ｈｉ−Ｚ）となる。
なお、本実施形態においては、画像データ電位は２値の電位をとり、以下では高い方の電位を“Ｈ”、低い方の電位を“Ｌ”として説明する。
また、この例においては、データ線駆動回路７は、走査開始信号ＸＳＤをシフトクロック信号ＸＳＣＬの立ち上がりエッジで取り込むとして説明したが、これに限られない。データ線駆動回路７は、走査開始信号ＸＳＤをシフトクロック信号ＸＳＣＬの立ち下がりエッジで取り込んでもよく、シフトクロック信号ＸＳＣＬの立ち下がりや両エッジで取り込んでもよい。
【００２７】
共通電源変調回路８は、コントローラー９の制御に応じて、全ての画素２で共通に用いられる共通電極電源線１２と、画素制御線１３と、画素制御線１４と、画素制御線１５とに、各画素２を駆動するために必要な電位を供給する。各画素２は、書き込まれた画像データ、および共通電源変調回路８から供給された共通電極電源線１２と、画素制御線１３と、画素制御線１４と、画素制御線１５とに応じて、画素２内の電気泳動粒子がそれぞれ電気泳動し、電気泳動装置１に表示画像が表示される。
【００２８】
共通電源変調回路８から画素制御線１３に供給される電位ＶＥＰは、各画素２に書き込まれた画像データに応じて各画素２の表示を変更するために、コントローラー９の制御によって、供給する電位が切り替えられる。また、共通電源変調回路８から画素制御線１４に供給される電位ＶＥＰ１と、画素制御線１５に供給される電位ＶＥＰ２とについても、コントローラー９の制御によって、供給する電位が切り替えられる。
【００２９】
共通電源変調回路８から共通電極電源線１２に供給される電位ＶＣＯＭは、コントローラー９によって制御される。
【００３０】
コントローラー９は、図示しないＣＰＵ（Ｃｅｎｔｒａｌ  Ｐｒｏｃｅｓｓｉｎｇ  Ｕｎｉｔ）などの電気泳動装置１の制御部から入力される制御信号に基づいて、走査線駆動回路６、データ線駆動回路７、共通電源変調回路８のそれぞれの動作を制御する。
【００３１】
次に、本実施形態の電気泳動装置１における画素回路の構成について説明する。
図４は、本実施形態の電気泳動装置１の画素２の回路構成の一例を示したブロック図である。図４において、画素２は、駆動トランジスター２１と、選択トランジスター２２と、コンデンサー２３と、画素電極２４と、共通電極２５と、電気泳動素子２６とによって構成されている。このうち、駆動トランジスター２１には、トランジスターＴｒ１と、トランジスターＴｒ２と、トランジスターＴｒ３とが含まれる。また、選択トランジスター２２には、トランジスターＴｒ４と、トランジスターＴｒ５と、トランジスターＴｒ６とが含まれる。また、コンデンサー２３には、コンデンサーＣ１と、コンデンサーＣ２と、コンデンサーＣ３とが含まれる。
また、各画素２には、走査線４と、データ線５と、共通電極電源線１２と、画素制御線１３と、画素制御線１４と、画素制御線１５とが接続されている。このうち、データ線５には、データ線５１と、データ線５２と、データ線５３とが含まれる。
図４に示した構成によって、画素２は、６つのトランジスターと３つのコンデンサーとによって構成された画素構造となっている。
【００３２】
なお、以下の説明において、コンデンサー２３とは、駆動トランジスター２１とは独立して設けられる容量素子（部品）であるとして説明するが、これに限られない。コンデンサー２３は、選択トランジスター２２がオフ状態になった場合に、駆動トランジスター２１のオン状態（またはオフ状態）を維持できるだけの容量を有していればよい。例えば、コンデンサー２３は、駆動トランジスター２１による寄生容量であってもよい。
【００３３】
駆動トランジスター２１は、画素電極２４に印加する電圧を選択するためのスイッチング素子であり、例えば、Ｎ型のＭＯＳ（Ｍｅｔａｌ  Ｏｘｉｄｅ  Ｓｅｍｉｃｏｎｄｕｃｔｏｒ：金属酸化膜半導体）で形成されている。駆動トランジスター２１のゲート端子には選択トランジスター２２のドレイン端子と、コンデンサー２３の一方の電極とがそれぞれ接続されている。また、駆動トランジスター２１のソース端子にはコンデンサー２３の他方の電極と、画素制御線１３、画素制御線１４、画素制御線１５のうちのいずれかの画素制御線とが接続されている。なお、コンデンサー２３の他方の電極は駆動トランジスターのソース端子ではなく、任意の電位線を設けてこれと接続されるようにしてもよい。より具体的には、駆動トランジスター２１のうち、トランジスターＴｒ１のソース端子には、コンデンサーＣ１と、画素制御線１３とが接続されている。また、トランジスターＴｒ２のソース端子には、コンデンサーＣ２と、画素制御線１４とが接続されている。また、トランジスターＴｒ３のソース端子には、コンデンサーＣ３と、画素制御線１５とが接続されている。また、駆動トランジスター２１（トランジスターＴｒ１、Ｔｒ２、Ｔｒ３）のドレイン端子には、画素電極２４が接続されている。
【００３４】
選択トランジスター２２は、画素２を選択するための画素スイッチング素子であり、例えば、Ｎ型のＭＯＳ（Ｍｅｔａｌ  Ｏｘｉｄｅ  Ｓｅｍｉｃｏｎｄｕｃｔｏｒ：金属酸化膜半導体）で形成されている。選択トランジスター２２（トランジスターＴｒ４、Ｔｒ５、Ｔｒ６）のゲート端子には走査線４、ソース端子にはデータ線５、ドレイン端子には駆動トランジスター２１のゲート端子がそれぞれ接続されている。選択トランジスター２２は、走査線駆動回路６から走査線４を介して選択信号が入力されている期間中、データ線５と駆動トランジスター２１とを接続させることによって、データ線駆動回路７からデータ線５を介して入力される画像データを駆動トランジスター２１に入力させる。
【００３５】
次に、コントローラー９が画素電極２４に供給する電位について具体的に説明する。上述したように、コントローラー９は、画素電極２４に、駆動トランジスター２１（トランジスターＴｒ１）を介して画素制御線１３から電位ＶＥＰ０を供給する。また、コントローラー９は、画素電極２４に、駆動トランジスター２１（トランジスターＴｒ２）を介して画素制御線１４から電位ＶＥＰ１を供給する。また、コントローラー９は、画素電極２４に、駆動トランジスター２１（トランジスターＴｒ３）を介して画素制御線１５から電位ＶＥＰ２を供給する。
【００３６】
ここで、共通電源変調回路８は、コントローラー９の指示により、電位ＶＣＯＭ、電位ＶＥＰ０、電位ＶＥＰ１、電位ＶＥＰ２をそれぞれ変更制御する。具体的には、プログラム期間と保持期間においては電位ＶＣＯＭと、電位ＶＥＰ０と、電位ＶＥＰ１と、電位ＶＥＰ２とを同じ電位に制御する。また、泳動期間においては、電位ＶＥＰ０を電位ＶＣＯＭと同じ電位に制御し、電位ＶＥＰ１を例えば電位ＶＣＯＭよりも低い電位に制御し、電位ＶＥＰ２を電位ＶＣＯＭよりも高い電位に制御する。なお、以降では電位ＶＥＰ１がとる電位ＶＣＯＭの電位よりも低い電位を、画素２を黒色表示にする電位（例えば、電位Ｖｂ）電位ＶＥＰ２がとる電位ＶＣＯＭよりも高い電位を、画素２を白色表示にする電位（例えば、電位Ｖｗ）として説明する。この回路の動作については、後述する。
【００３７】
電気泳動素子２６は、画素電極２４と共通電極２５との間に挟持され、画素電極２４と共通電極２５との電位差によって電気泳動素子２６に備えた複数のマイクロカプセル内の帯電した白色粒子と黒色粒子とが電気泳動する。そして、白色粒子と黒色粒子とが電気泳動した距離に応じた階調の画像が表示される。
この白色粒子と黒色粒子とが電気泳動する方向と移動量とを制御することによって、画素２が表示する画像の階調を制御することができる。
【００３８】
次に、本実施形態の電気泳動装置の表示部３について説明する。
図５は、本実施形態の電気泳動装置１の表示部３の構成の一例を示す模式図である。図５（ａ）には、表示部３の部分断面図を示している。また、図５（ｂ）には、マイクロカプセルの構成図を示している。
【００３９】
図５（ａ）に示したように、表示部３は画素電極２４を備えた素子基板３０および共通電極２５を備えた対向基板３１により、電気泳動素子２６を挟持する構成となっている。
電気泳動素子２６は、複数のマイクロカプセル２６０によって構成されている。電気泳動素子２６は、接着剤層３５を用いて素子基板３０と対向基板３１との間に固定されている。
すなわち、電気泳動素子２６と素子基板３０、対向基板３１との間に接着剤層３５が形成されている。
なお、素子基板３０側の接着剤層３５は画素電極２４面と接着するために必用なものであるが、対向基板３１側の接着剤層３５については必須ではない。これは、予め、対向基板３１に対して、共通電極２５と複数のマイクロカプセル２６０と対向基板３１側の接着剤層３５とを、一貫した製造工程で造り込んだあと、電気泳動シートとして取り扱う場合においては、接着剤層として必用となるのは、素子基板３０側の接着剤層３５のみとなる場合が想定されるからである。
【００４０】
素子基板３０は、例えば、ガラスやプラスティックなどからなる基板である。素子基板３０上には、それぞれの画素２毎に矩形に形成された画素電極２４が形成されている。図示は省略しているが、各画素電極２４の間の領域や画素電極２４の下面（図５（ａ）においては、素子基板３０側の層）には、図１および図５等に示した走査線４、データ線５、共通電極電源線１２、画素制御線１３、画素制御線１４、画素制御線１５、駆動トランジスター２１、選択トランジスター２２、コンデンサー２３などが形成されている。
【００４１】
対向基板３１は、画像を表示する側となるため、例えば、ガラスなどの透光性を有する基板である。対向基板３１上に形成された共通電極２５には、透光性と導電性とを備えた材質である、例えば、ＭｇＡｇ（マグネシウム銀）、ＩＴＯ（インジウム・スズ酸化物）、ＩＺＯ（登録商標：インジウム・亜鉛酸化物）などが用いられる。
なお、電気泳動素子２６は、あらかじめ対向基板３１側に形成され、接着剤層３５までを含めた電気泳動シートとして取り扱われるのが一般的である。また、接着剤層３５側には、保護用の剥離紙が貼り付けられている。
製造工程においては、別途製造された、画素電極２４や回路などが形成された素子基板３０に対して、剥離紙を剥がした当該電気泳動シートを貼り付けることによって、表示部３を形成している。このため、一般的な構成では、接着剤層３５は画素電極２４側のみに存在することになる。
【００４２】
図５（ｂ）は、マイクロカプセル２６０の構成図である。マイクロカプセル２６０は、例えば、５０μｍ程度の粒径である。また、マイクロカプセル２６０の外郭部は、ポリメタクリル酸メチル、ポリメタクリル酸エチルなどのアクリル樹脂、ユリア樹脂、アラビアゴムなどの透光性を有する高分子樹脂を用いて形成されている。このマイクロカプセル２６０は、共通電極２５と画素電極２４との間に挟持されており、１つの画素内に１つまたは複数のマイクロカプセル２６０が縦横に配列されている。マイクロカプセル２６０の周囲を埋めるように、当該マイクロカプセル２６０を固定するバインダ（図示は省略）が設けられている。
また、マイクロカプセル２６０の内部には、分散媒２６１と、電気泳動粒子として複数の白色粒子２６２、複数の黒色粒子２６３の帯電粒子が封入されている。
【００４３】
分散媒２６１は、白色粒子２６２と黒色粒子２６３とをマイクロカプセル２６０内に分散させる液体である。
分散媒２６１としては、例えば、水、メタノール、エタノール、イソプロパノール、ブタノール、オクタノール、メチルセルソルブなどのアルコール系溶媒、酢酸エチル、酢酸ブチルなどの各種エステル類、アセトン、メチルエチルケトン、メチルイソブチルケトンなどのケトン類、ぺンタン、ヘキサン、オクタンなどの脂肪族炭化水素、シクロへキサン、メチルシクロへキサンなどの脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなどの長鎖アルキル基を有するベンゼン類などの芳香族炭化水素、塩化メチレン、クロロホルム、四塩化炭素、１，２−ジクロロエタンなどのハロゲン化炭化水素、カルボン酸塩、またはその他の種々の油類などの単独またはこれらの混合物に界面活性剤などを配合したものを挙げることができる。
【００４４】
白色粒子２６２は、例えば、二酸化チタン、亜鉛華、三酸化アンチモンなどの白色顔料からなる粒子（高分子あるいはコロイド）であり、例えば、負（マイナス：−）に帯電されている。
黒色粒子２６３は、例えば、アニリンブラック、カーボンブラックなどの黒色顔料からなる粒子（高分子あるいはコロイド）であり、例えば、正（プラス：＋）に帯電されている。
このため、白色粒子２６２および黒色粒子２６３は、分散媒２６１中で画素電極２４と共通電極２５との間の電位差によって発生する電場中を移動することができる。
【００４５】
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤などの分散剤、潤滑剤、安定化剤などを添加することができる。
【００４６】
次に、本実施形態の電気泳動装置における電気泳動素子の動作について、図６および図７を参照して説明する。
図６は、本実施形態の電気泳動装置１における電気泳動素子２６の動作の一例を示す模式図である。
図７は、本実施形態の電気泳動装置１における電気泳動素子２６の動作の一例を示すタイミング図である。
この図６のうち、図６（ａ）は、画素２が白色表示をする場合、図６（ｂ）は、画素２が黒色表示をする場合をそれぞれ示している。
なお、以下の説明においては、白色粒子２６２は正（プラス：＋）、黒色粒子２６３は負（マイナス：−）に帯電しているものとする。
【００４７】
まず、ある画素２を黒色表示から図６（ａ）に示すような、白色表示に変化させる場合について説明する。画素２に白色を表示する場合、共通電極２５に電位ＶＣＯＭが印加され、画素電極２４には電位ＶＥＰ２が印加される。この電位ＶＥＰ２は、上述したように、泳動期間において画素２を白色表示させる電位（例えば、電位Ｖｗ）となるので、画素電極２４と共通電極２５との間に電位差が生じ、白色粒子２６２は共通電極２５側に、黒色粒子２６３は画素電極２４側にそれぞれ電気泳動して、画素２が白色（Ｗ）の表示（白表示）となる。
【００４８】
また、画素２を白色表示から図６（ｂ）に示すような、黒色表示に変化させる場合について説明する。画素２に黒色を表示する場合、共通電極２５に電位ＶＣＯＭが印加され、画素電極２４には電位ＶＥＰ１が印加される。この電位ＶＥＰ１は、上述したように、泳動期間において画素２を黒色表示させる電位（例えば、電位Ｖｂ）となるので、画素電極２４と共通電極２５との間に電位差が生じ、黒色粒子２６３は共通電極２５側に、白色粒子２６２は画素電極２４側にそれぞれ電気泳動して、画素２が黒色（Ｂ）の表示（黒表示）となる。
【００４９】
また、画素２の表示状態を維持する場合、すなわち、白色表示を白色表示のままに維持する場合、または黒色表示を黒色表示のままに維持する場合について説明する。画素２の表示状態を維持する場合、共通電極２５に電位ＶＣＯＭが印加され、画素電極２４に電位ＶＥＰ０が印加される。この電位ＶＥＰ０とは、上述したように、泳動期間においても電位ＶＣＯＭと同じ電位である。その結果、画素電極２４と共通電極２５との間に電位差が生じないため、黒色粒子２６３および白色粒子２６２はそれぞれ電気泳動せずに表示状態を維持する。
【００５０】
ここで、上述した画素２の表示状態の制御について、より具体的に説明する。ある画素２について、黒色表示から白色表示に変化させる場合、図７に示すプログラム期間において、画素２の画素電極２４に電位ＶＥＰ２を供給する。具体的には、画素２の駆動トランジスター２１のうちの、トランジスターＴｒ１、およびトランジスターＴｒ２をオフ状態にし、トランジスターＴｒ３をオン状態にする。より具体的には、データ線５１およびデータ線５２を“Ｌ”にし、データ線５３を“Ｈ”にした状態で、画素２を選択するための走査線４を“Ｈ”にする。これにより、画素２のトランジスターＴｒ４、トランジスターＴｒ５、およびトランジスターＴｒ６がオン状態になる。また、これにより、画素２の駆動トランジスター２１のうち、トランジスターＴｒ１、およびトランジスターＴｒ２がオフ状態になり、トランジスターＴｒ３がオン状態になる。すなわち、電位ＶＥＰ２を供給する画素制御線１５と、画素２の画素電極２４とがトランジスターＴｒ３を介して接続された状態になる。
【００５１】
次に、画素２を選択していた走査線４を“Ｌ”にする。これにより、画素２の選択トランジスター２２がオフ状態になる。このとき、画素２の駆動トランジスター２１のゲート端子の電位は、コンデンサー２３によって維持される。このため、駆動トランジスター２１のオン状態、またはオフ状態は、選択トランジスター２２がオン状態である場合の状態に維持される。具体的には、トランジスターＴｒ４がオフ状態になった場合、トランジスターＴｒ１のゲート端子の電位は、コンデンサーＣ１により“Ｌ”に維持される。これにより、トランジスターＴｒ１は、オフ状態に維持される。トランジスターＴｒ２、およびトランジスターＴｒ３についても、トランジスターＴｒ１と同様である。すなわち、トランジスターＴｒ５がオフ状態になった場合、トランジスターＴｒ２のゲート端子の電位は、コンデンサーＣ２により“Ｌ”に維持される。これにより、トランジスターＴｒ２は、オフ状態に維持される。また、トランジスターＴｒ６がオフ状態になった場合、トランジスターＴｒ３のゲート端子の電位は、コンデンサーＣ３により“Ｈ”に維持される。これにより、トランジスターＴｒ３は、オン状態に維持される。
【００５２】
また、図６（ｂ）に示すように、ある画素２について白色表示から黒色表示に変化させる場合、図７に示すプログラム期間において、画素２の画素電極２４に電位ＶＥＰ１を供給する。具体的には、画素２の選択トランジスター２２のうちの、トランジスターＴｒ４、およびトランジスターＴｒ６をオフ状態にし、トランジスターＴｒ５をオン状態にする。より具体的には、コントローラー９は、データ線５１およびデータ線５３を“Ｌ”にし、データ線５２を“Ｈ”にした状態で、画素２を選択するための走査線４を“Ｈ”にする。これにより、画素２のトランジスターＴｒ４、およびトランジスターＴｒ６がオフ状態になり、トランジスターＴｒ５がオン状態になる。したがって、画素２の駆動トランジスター２１のうち、トランジスターＴｒ１、およびトランジスターＴｒ３がオフ状態になり、トランジスターＴｒ２がオン状態になる。すなわち、電位ＶＥＰ１を供給する画素制御線１４と、画素２の画素電極２４とがトランジスターＴｒ２を介して接続された状態になる。
【００５３】
次に、画素２を選択していた走査線４を“Ｌ”にする。これにより、画素２の選択トランジスター２２がオフ状態になる。このとき、画素２の駆動トランジスター２１のゲート端子の電位は、コンデンサー２３によって維持される。このコンデンサー２３によって維持される仕組みは、上述した黒色表示から白色表示に変化させる場合と同様であるため、その説明を省略する。
【００５４】
また、ある画素２について表示状態を変化させない場合、図７に示すプログラム期間において、画素２の選択トランジスター２２のうちの、トランジスターＴｒ５、およびトランジスターＴｒ６をオフ状態にし、トランジスターＴｒ４をオン状態にする。具体的には、データ線５２およびデータ線５３を“Ｌ”にし、データ線５１を“Ｈ”にした状態で、画素２を選択するための走査線４を“Ｈ”にする。これにより、画素２のトランジスターＴｒ５、およびトランジスターＴｒ６がオフ状態になり、トランジスターＴｒ４がオン状態になる。したがって、画素２の駆動トランジスター２１のうち、トランジスターＴｒ２、およびトランジスターＴｒ３がオフ状態になり、トランジスターＴｒ１がオン状態になる。すなわち、電位ＶＥＰ０を供給する画素制御線１３と、画素２の画素電極２４とがトランジスターＴｒ１を介して接続された状態になる。
【００５５】
次に、画素２を選択していた走査線４を“Ｌ”にする。これにより、画素２の選択トランジスター２２がオフ状態になる。このとき、画素２の駆動トランジスター２１のゲート端子の電位は、コンデンサー２３によって維持される。このコンデンサー２３によって維持される仕組みは、上述した黒色表示から白色表示に変化させる場合と同様であるため、その説明を省略する。
【００５６】
コントローラー９は、プログラム期間において上述した操作を各画素２に対して行うことにより、各画素２の駆動トランジスター２１の状態を制御（プログラム）する。
【００５７】
次に、図７に示す泳動期間において、電位ＶＥＰ０を画素制御線１３に、電位ＶＥＰ１を画素制御線１４に、電位ＶＥＰ２を画素制御線１５にそれぞれ供給する。このとき、電位ＶＥＰ０、電位ＶＥＰ１、および電位ＶＥＰ２のうち、オン状態の駆動トランジスター２１に接続されている画素制御線の電位が、画素電極２４に供給される。
この具体例においては、トランジスターＴｒ１がオン状態になることによって、電位ＶＥＰ０が画素電極２４に供給されている場合には、画素電極２４と共通電極２５との間に電位差が生じないため、黒色粒子２６３、および白色粒子２６２は電気泳動せず、画素２の表示状態が維持される。
また、トランジスターＴｒ２がオン状態になることによって電位ＶＥＰ１が画素電極２４に供給されている場合には、画素電極２４と共通電極２５との間に電位差が生じ、黒色粒子２６３は共通電極２５側に、白色粒子２６２は画素電極２４側にそれぞれ電気泳動して、画素２が黒色（Ｂ）の表示（黒表示）となる。
また、トランジスターＴｒ３がオン状態になることによって電位ＶＥＰ２が画素電極２４に供給されている場合には、画素電極２４と共通電極２５との間に電位差が生じ、白色粒子２６２は共通電極２５側に、黒色粒子２６３は画素電極２４側にそれぞれ電気泳動して、画素２が白色（Ｗ）の表示（白表示）となる。
【００５８】
次に、図７に示す保持期間において、画素２の画素電極２４に電位ＶＥＰ０を供給する。画素２の動作についてはプログラム期間において画素の表示状態を維持する場合と同様であるので、詳細な説明は省略する。その結果、画素電極２４と共通電極２５との間に電位差が生じないため、黒色粒子２６３、および白色粒子２６２は電気泳動せず、画素２の表示状態が維持される。
【００５９】
このように、電気泳動素子２６は、画素２に書き込まれる画像データに基づいて選択され、画素電極２４に入力された画素制御線１３の電位ＶＥＰ０、画素制御線１４の電位ＶＥＰ１、または画素制御線１５の電位ＶＥＰ２と、共通電極２５に入力された共通電極電源線１２の電位ＶＣＯＭとによって、白色粒子と黒色粒子との電気泳動を制御することができる。
【００６０】
以上説明したように、電気泳動装置１は、走査線４によって画素２が選択された状態における画素２（電気泳動素子２６）の電位を、画素２が選択されていない状態においても維持することができる。これにより、電気泳動装置１は、画素２の電位が安定しているため、隣接する画素２の電位によって画素２の電位が変動する程度を低減することができる。このため、電気泳動装置１は、隣接する画素２の電位によって画素２の電位が変動することにより生ずる画素２の表示の滲みを低減することができる。
【００６１】
[変形例]
また、本実施形態の電気泳動装置１は、図８に示すように構成することもできる。
図８は、画素２の回路構成の第１の変形例を示すブロック図である。この変形例において、画素２は、ソースデマルチ回路６０を備えている。このソースデマルチ回路６０は、データ線５の信号を時分割することにより、データ線５１、データ線５２、およびデータ線５３の信号を生成する。具体的には、ソースデマルチ回路６０は、デマルチトランジスター６１を備えている。このデマルチトランジスター６１には、トランジスターＴｒ７、トランジスターＴｒ８、およびトランジスターＴｒ９が含まれる。トランジスターＴｒ７は、コントローラー９に接続された制御線φ１の電位によってオン状態とオフ状態とが切り替わる。また、トランジスターＴｒ８は、コントローラー９に接続された制御線φ２の電位によってオン状態とオフ状態とが切り替わる。また、トランジスターＴｒ９は、コントローラー９に接続された制御線φ３の電位によってオン状態とオフ状態とが切り替わる。コントローラー９は、デマルチトランジスター６１をオン状態とオフ状態とを順次切り替えることにより、データ線５の信号を時分割して、データ線５１、データ線５２、およびデータ線５３の信号を生成する。ここで、データ線５１、データ線５２、およびデータ線５３には、それぞれ寄生容量が存在する。データ線５１、データ線５２、およびデータ線５３の信号がそれぞれ生成されてから、走査線４によって画素２が選択されるまでの期間、この寄生容量によって、データ線５１、データ線５２、およびデータ線５３の信号が維持される。
【００６２】
このように構成することにより、電気泳動装置１は、画素２に接続されるデータ線５の本数を低減することができる。具体的には、このように構成することにより、電気泳動装置１は、画素２に接続されるデータ線５の本数を３本から１本に低減することができる。
【００６３】
また、本実施形態の電気泳動装置１は、図９に示すように構成することもできる。
図９は、画素２の回路構成の第２の変形例を示すブロック図である。この変形例において、画素２には、複数（例えば、３本）の走査線４と、１本のデータ線５とが接続されている。この例においては、走査線４には、走査線４１と、走査線４２と、走査線４３とが含まれる。つまり、この変形例による画素２には、複数のデータ線５に代えて、複数の走査線４が接続されている点において、上述した実施形態と相違する。コントローラー９は、プログラム期間において、データ線５を“Ｈ”または“Ｌ”にした状態で、走査線４１を“Ｈ”にする。これにより、トランジスターＴｒ１がオン状態またはオフ状態にプログラムされる。また、コントローラー９は、プログラム期間において、データ線５を“Ｈ”または“Ｌ”にした状態で、走査線４２を“Ｈ”にする。これにより、トランジスターＴｒ２がオン状態またはオフ状態にプログラムされる。同様にして、コントローラー９は、プログラム期間において、データ線５を“Ｈ”または“Ｌ”にした状態で、走査線４３を“Ｈ”にする。これにより、トランジスターＴｒ３がオン状態またはオフ状態にプログラムされる。
【００６４】
このように構成することによっても、電気泳動装置１は、隣接する画素２の電位によって画素２の電位が変動することにより生ずる画素２の表示の滲みを低減することができる。
【００６５】
また、第２の変形例に示した電気泳動装置１は、図１０に示すように構成することもできる。
図１０は、画素２の回路構成の第３の変形例を示すブロック図である。この変形例において、図１０（ａ）に示すように、画素２には、複数（例えば、３本）の走査線４と、１本のデータ線５とが接続されている。また、画素２は、走査線デマルチ回路７０を備えている。この走査線デマルチ回路７０は、走査線４の信号を時分割することにより、走査線４１、走査線４２、および走査線４３の信号を生成する。具体的には、走査線デマルチ回路７０は、デマルチトランジスター７１を備えている。このデマルチトランジスター７１には、トランジスターＴｒ１０、トランジスターＴｒ１１、およびトランジスターＴｒ１２が含まれる。トランジスターＴｒ１０は、コントローラー９に接続された制御線φ０の電位によってオン状態とオフ状態とが切り替わる。また、トランジスターＴｒ１１は、コントローラー９に接続された制御線φ１の電位によってオン状態とオフ状態とが切り替わる。また、トランジスターＴｒ１２は、コントローラー９に接続された制御線φ２の電位によってオン状態とオフ状態とが切り替わる。コントローラー９は、図１０（ｂ）に示すタイミングによって制御線φ０、φ１、φ２、データ線５、および走査線４の電位を制御する。
【００６６】
このように構成することにより、電気泳動装置１は、上述した第２の変形例と比較して、画素２に接続される走査線４の本数を低減することができる。具体的には、このように構成することにより、電気泳動装置１は、画素２に接続される走査線４の本数を３本から１本に低減することができる。
【００６７】
また、電気泳動装置１は、図１１に示すように構成することもできる。
図１１は、画素２の回路構成の第４の変形例を示すブロック図である。この変形例において、画素２には、図１１（ａ）に示すように、１本の走査線４、１本のデータ線５、および制御線φ１、φ２が接続されている。つまり、この変形例は、画素２に接続される走査線４、およびデータ線５がそれぞれ１本である点で、上述した実施形態および各変形例と相違する。コントローラー９は、走査線４、データ線５に加えて、制御線φ１、φ２の電位を制御する。具体的には、コントローラー９は、図１１（ｂ）に示すタイミングによって制御線φ１、φ２、データ線５、および走査線４の電位を制御する。つまり、コントローラー９は、図１１（ｂ）の時刻ｔ２１から時刻ｔ２２において、データ線５を“Ｈ”または“Ｌ”にした状態で、走査線４、および制御線φ１、φ２をいずれも“Ｈ”にする。これにより、トランジスターＴｒ１、Ｔｒ２、Ｔｒ３がオン状態またはオフ状態にプログラムされる。次に、コントローラー９は、時刻ｔ２２から時刻ｔ２３において、データ線５を“Ｈ”または“Ｌ”にした状態で、走査線４、および制御線φ１をいずれも“Ｈ”にする。このとき、コントローラー９は、制御線φ２を“Ｌ”にする。これにより、トランジスターＴｒ３の状態は変化せずに、トランジスターＴｒ１、Ｔｒ２がオン状態またはオフ状態にプログラムされる。次に、コントローラー９は、時刻ｔ２３から時刻ｔ２４において、データ線５を“Ｈ”または“Ｌ”にした状態で、走査線４、を“Ｈ”にする。このとき、コントローラー９は、制御線φ１、φ２をいずれも“Ｌ”にする。これにより、トランジスターＴｒ２、Ｔｒ３の状態は変化せずに、トランジスターＴｒ１がオン状態またはオフ状態にプログラムされる。
【００６８】
このように構成することによっても、電気泳動装置１は、隣接する画素２の電位によって画素２の電位が変動することにより生ずる画素２の表示の滲みを低減することができる。することができる。
【００６９】
[変形例２]
これまで、データ線５には、データ線５１と、データ線５２と、データ線５３とが含まれ、各画素に対して、データ線５１と、データ線５２と、データ線５３とが接続されるとして説明したが、これに限られない。この変形例２においては、各画素２００には、データ線５に代えて、データ線５００が接続される場合について、図１２及び図１３を参照して説明する。このデータ線５００には、データ線５２０と、データ線５３０とが含まれる。このデータ線５２０は、上述したデータ線５２に対応する。また、データ線５３０は、上述したデータ線５３に対応する。すなわち、データ線５００には、上述したデータ線５１に対応するデータ線が含まれない点において、上述した実施形態及びその変形例と異なる。なお、上述した実施形態と同一の構成である部分については、同一の符号を付してその説明を省略する。
【００７０】
図１２は、本変形例の電気泳動装置１００の概略構成を示したブロック図である。電気泳動装置１００は、画素２に代えて、画素２００を備える。各画素２００には、データ線５２０と、データ線５３０とが接続される。この画素２００の構成の具体例について、図１３を参照して説明する。
【００７１】
図１３は、本変形例の電気泳動装置１００の画素２００の回路構成の一例を示したブロック図である。画素２００は、画像データ電位生成回路２７を備える点において、画素２と異なる。
【００７２】
画像データ電位生成回路２７は、この一例では、２入力のインバーテッド・アンド回路２８を備えている。この画像データ電位生成回路２７は、２つの入力端子と、３つの出力端子とを備えている。具体的には、画像データ電位生成回路２７は、入力端子ＴＩ１と、入力端子ＴＩ２と、出力端子ＴＯ０と、出力端子ＴＯ１と、出力端子ＴＯ２とを備えている。
【００７３】
入力端子ＴＩ１には、データ線５２０が接続される。入力端子ＴＩ２には、データ線５３０が接続される。
出力端子Ｔ０１には、データ線５２０から入力端子ＴＩ１に供給される画像データ電位が、そのまま出力される。上述したように、画像データ電位は２値の電位をとる。２値の画像データ電位のうち、高い方の電位が“Ｈ”であり、低い方の電位が“Ｌ”である。データ線５２０から入力端子ＴＩ１に供給される画像データ電位が“Ｈ”であれば、出力端子Ｔ０１には、“Ｈ”が出力される。また、データ線５２０から入力端子ＴＩ１に供給される画像データ電位が“Ｌ”であれば、出力端子Ｔ０１には、“Ｌ”が出力される。
出力端子Ｔ０２には、データ線５３０から入力端子ＴＩ２に供給される画像データ電位が、そのまま出力される。データ線５３０から入力端子ＴＩ２に供給される画像データ電位が“Ｈ”であれば、出力端子Ｔ０２には、“Ｈ”が出力される。また、データ線５３０から入力端子ＴＩ２に供給される画像データ電位が“Ｌ”であれば、出力端子Ｔ０２には、“Ｌ”が出力される。
【００７４】
インバーテッド・アンド回路２８は、その入力端子が入力端子ＴＩ１及び入力端子ＴＩ２に接続されており、出力端子が出力端子ＴＯ０に接続される。すなわち、出力端子ＴＯ０には、入力端子ＴＩ１に供給される画像データ電位を反転させた電位と、入力端子ＴＩ２に供給される画像データ電位を反転させた電位との論理和の電位が出力される。
【００７５】
具体的には、入力端子ＴＩ１に供給される画像データ電位が“Ｈ”であり、入力端子ＴＩ２に供給される画像データ電位が“Ｈ”である場合、出力端子ＴＯ０には、“Ｌ”が出力される。また、入力端子ＴＩ１に供給される画像データ電位が“Ｌ”であり、入力端子ＴＩ２に供給される画像データ電位が“Ｈ”である場合、出力端子ＴＯ０には、“Ｌ”が出力される。また、入力端子ＴＩ１に供給される画像データ電位が“Ｈ”であり、入力端子ＴＩ２に供給される画像データ電位が“Ｌ”である場合、出力端子ＴＯ０には、“Ｌ”が出力される。また、入力端子ＴＩ１に供給される画像データ電位が“Ｌ”であり、入力端子ＴＩ２に供給される画像データ電位が“Ｌ”である場合、出力端子ＴＯ０には、“Ｈ”が出力される。すなわち、データ線５２０が”Ｌ”であり、データ線５３０が”Ｌ”である場合にのみ、出力端子ＴＯ０には、“Ｈ”が出力される。
【００７６】
トランジスターＴｒ４のソース端子には、出力端子ＴＯ０に接続されたデータ線５１１が接続されている。すなわち、トランジスターＴｒ４のソース端子には、インバーテッド・アンド回路２８の出力電位が供給される。換言すれば、トランジスターＴｒ４のソース端子には、データ線５２０が供給する画像データ電位と、データ線５３０が供給する画像データ電位とに基づいて、画像データ電位生成回路２７が生成した画像データ電位が供給される。トランジスターＴｒ５のソース端子には、出力端子ＴＯ１に接続されたデータ線５２１が接続されている。すなわち、トランジスターＴｒ５のソース端子には、データ線５２０から供給される画像データ電位が供給される。トランジスターＴｒ６のソース端子には、出力端子ＴＯ２に接続されたデータ線５３１が接続されている。すなわち、トランジスターＴｒ６のソース端子には、データ線５３０から供給される画像データ電位が供給される。
画素２００は、データ線５２０から供給される画像データ電位と、データ線５３０から供給される画像データ電位と、画像データ電位生成回路２７が生成した画像データ電位とに基づいて、表示状態を、白表示又は黒表示にする。
【００７７】
以上説明したように、電気泳動装置１００は、上述した電気泳動装置１が備えるデータ線５１から供給される画像データ電位に相当する画像データ電位を、各画素２００が備える画像データ電位生成回路２７によって生成する。したがって、電気泳動装置１００は、上述した電気泳動装置１が備えるデータ線５１を備えていなくても、電気泳動装置１と同様の動作を行うことができる。よって、電気泳動装置１００は、電気泳動装置１と同様の効果を得ることができる。すなわち、電気泳動装置１００は、隣接する画素２００の電位によって画素２００の電位が変動することにより生ずる画素２００の表示の滲みを低減することができる。
また、電気泳動装置１００は、データ線５１を備えていないため、各画素２００に接続されるデータ線の本数を３本から２本に低減することができる。つまり、電気泳動装置１００は、画素２００に書き込まれる画像データを３ビットから２ビットに低減することができる。これにより、電気泳動装置１００は、画像データの転送時間、及び電力を低減することができる。
【００７８】
＜電子機器＞
次に、本発明の電気泳動装置を電子機器に適用した場合について説明する。図１２は、本実施形態の電気泳動装置１を適用した電子機器の一例を示した図である。
【００７９】
図１２は、電子機器の一例である腕時計１０００の正面図である。腕時計１０００は、時計ケース１００２と、時計ケース１００２に連結された一対のバンド１００３とを備えている。
【００８０】
時計ケース１００２の正面には、本発明の電気泳動装置からなる表示部１００５と、秒針１０２１と、分針１０２２と、時針１０２３とが設けられ、時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。
【００８１】
表示部１００５では、背景となる画像、日付や時間などの文字列、あるいは秒針、分針、時針などを、本発明の電気泳動装置の駆動方法によって表示することができる。
【００８２】
本発明の電気泳動装置を表示部１００５として備えることによって、表示の書き換えが同時に行われているように見せることができ、最適な表示の腕時計１０００とすることができる。
【００８３】
図１２（ｂ）は、電子ペーパー１１００の構成を示す斜視図である。電子ペーパー１１００は、可撓性を有し、従来の紙と同様の質感及び柔軟性を有する書き換え可能なシートからなる本体１１０１と、本発明の電気泳動装置からなる表示部１１０２と、を備えている。この電子ペーパー１１００は、本発明の電気泳動装置の駆動方法によって最適に書き換えが行われる。
【００８４】
図１２（ｃ）は、電子機器の一例である電子ノート１２００を示す斜視図である。電子ノート１２００は、図１２（ｂ）に示した電子ペーパー１１００が複数枚束ねられ、カバー１２０１に挟まれているものである。カバー１２０１は、例えば、外部の装置から送られる表示データを入力する表示データ入力手段（図示は省略）を備えている。これにより、その表示データに応じて、電子ペーパーが束ねられた状態のまま、表示内容の変更や更新を行うことができる。
【００８５】
電子ペーパー１１００および電子ノート１２００に本発明の電気泳動装置を備えることによって、表示の書き換えが同時に行われているように見せることができ、最適な表示の電子ペーパー１１００および電子ノート１２００とすることができる。
【００８６】
なお、図１２に示した電子機器は、本発明に係る電子機器を例示するものであって、本発明の技術範囲を限定するものではない。例えば、電子ペーパー１１００および電子ノート１２００の他に、携帯電話、携帯用オーディオ機器などの電子機器の表示領域にも、本発明に係る電気泳動装置は好適に用いることができる。
これにより、表示の書き換えが同時に行われているように見せることができ、最適な表示の電子機器とすることができる。
【００８７】
上記に述べたように、本発明を実施するための形態によれば、電子機器は、この電子機器が備える電気泳動装置の画素の電位が安定しているため、隣接する画素の電位によって画素の電位が変動する程度を低減することができる。このため、電子機器は、隣接する画素の電位によって画素の電位が変動することにより生ずる画素の表示の滲みを低減することができる。
【００８８】
なお、本実施形態においては、白色粒子２６２が正（プラス：＋）、黒色粒子２６３が負（マイナス：−）に帯電している場合について説明したが、本発明を実施するための形態に限定されるものではなく、白色粒子２６２と黒色粒子２６３とが逆の極性、すなわち、白色粒子２６２が負（マイナス：−）、黒色粒子２６３が正（プラス：＋）に帯電している場合でも、本実施形態と同様に考えることもできる。
【００８９】
また、本実施形態においては、白色粒子２６２と黒色粒子２６３とによって白色表示の状態と黒色表示の状態との２つの状態、または白と黒の中間の階調であるグレー（ダークグレー（ＤＧ）：濃いグレーやライトグレー（ＬＧ）：淡いグレーも含む）を表示する、いわゆるモノクロの表示の電気泳動装置１について説明したが、本発明を実施するための形態に限定されるものではなく、白色粒子２６２と黒色粒子２６３とに用いる顔料を、例えば、赤色、緑色、青色等の顔料に代えることによって、赤色、緑色、青色などを表示することができる電気泳動装置に対しても、本発明の駆動方法を適用することができる。
【００９０】
［以上の実施形態のまとめ］
以上、この発明の実施形態について図面を参照して詳述してきたが、具体的な構成はこの実施形態に限られるものではなく、この発明の要旨を逸脱しない範囲の設計等も含まれる。
【００９１】
なお、以上に説明した装置における任意の構成部の機能を実現するためのプログラムを、コンピューター読み取り可能な記録媒体に記録し、そのプログラムをコンピューターシステムに読み込ませて実行するようにしてもよい。なお、ここで言う「コンピューターシステム」とは、ＯＳ（Ｏｐｅｒａｔｉｎｇ  Ｓｙｓｔｅｍ）や周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことを言う。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【００９２】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００９３】
１…電気泳動装置、２…画素、３…表示部、４…走査線、５…データ線、６…走査線駆動回路、７…データ線駆動回路、８…共通電源変調回路、９…コントローラー、
１２…共通電極電源線、１３…画素制御線、１４…画素制御線、１５…画素制御線、２１…駆動トランジスター、２２…選択トランジスター、２３…コンデンサー、２４…画素電極、２５…共通電極、２６…電気泳動素子、２６０…マイクロカプセル、２６１…分散媒、２６２…白色粒子、２６３…黒色粒子、
１０００…腕時計、１００２…時計ケース、１００３…バンド、１００５…表示部、１０２１…秒針、１０２２…分針、１０２３…時針、１０１０…竜頭、１０１１…操作ボタン、１１００…電子ペーパー、１１０１…本体、１１０２…表示部、１２００…電子ノート
【図１】
2015180918.tif 000003
【図２】
2015180918.tif 000004
【図３】
2015180918.tif 000005
【図４】
2015180918.tif 000006
【図５】
2015180918.tif 000007
【図６】
2015180918.tif 000008
【図７】
2015180918.tif 000009
【図８】
2015180918.tif 000010
【図９】
2015180918.tif 000011
【図１０】
2015180918.tif 000012
【図１１】
2015180918.tif 000013
【図１２】
2015180918.tif 000014
【図１３】
2015180918.tif 000015
【図１４】
2015180918.tif 000016